Podtech/llm-jp-corpus-v4-ja_patent huggingface dataset:
【誤訳訂正書】
【提出日】平成30年6月25日(2018.6.25)
【誤訳訂正１】
【訂正対象書類名】特許請求の範囲
【訂正対象項目名】全文
【訂正方法】変更
【訂正の内容】
【特許請求の範囲】
【請求項１】
ａ）少なくとも１つの絶縁材ハウジング（２）と、
ｂ）少なくとも部分的に絶縁材ハウジング内に配置された、少なくとも１つの接点部品（３）および少なくとも１つの締付ばね（５）を有する少なくとも１つの接点インサート（３、５）と、を備える導体接続端子（１）であって、
ｃ）接点部品は、締付ばねと共に、導体接続端子（１）により接触される電気導体（８）のための少なくとも１つの導体締付位置（３０）を形成し、電気導体は導体締付位置（３０）において締付ばね（５）のばね力により付勢可能であり、導体接続端子（１）は、さらに、
ｄ）絶縁材ハウジング（２）内に枢動可能に支持された、締付ばね（５）を操作するための少なくとも１つの操作レバー（７）を備え、操作レバー（７）は閉鎖位置から開放位置にかつその逆に絶縁材ハウジング（２）および／または接点部品（３）に対して枢動可能であり、また少なくとも開放位置においては導体接続端子（１）内に挿入された電気導体（８）は導体締付位置（３０）において締付ばね（５）のばね力により付勢されることはなく、
ｅ）操作レバー（７）は浮動式に支持されかつ少なくとも開放位置において少なくとも部分的に接点部品（３）に支持され、
ｆ）操作レバー（７）は接点部品（３）の上部部分（３２）に支持されており、接触される電気導体（８）を受け入れるための導体受入室（６０）が、接点部品（３）の上部部分（３２）と、締付ばね（５）の端部領域（５０）と共に導体締付位置（３０）を形成する、接点部品（３）の接点位置との間に配置されていることを特徴とする導体接続端子（１）。
【請求項２】
接点部品（３）は、接点位置がその中に配置されている締付部分（３．１）と、操作レバー（７）が開放位置において少なくとも部分的にそれに支持されている支持部分（３．２）と、を有し、ここで締付部分（３．１）と支持部分（３．２）の間に導体受入室（６０）が配置されていることを特徴とする請求項１に記載の導体接続端子。
【請求項３】
締付ばね（５）は装着脚（５２）を有し、締付ばね（５）は、装着脚を介して、接点部品（３）の支持部分（３．２）における、導体受入室（６０）と向かい合う第１側（３．２ａ）に支持されていることを特徴とする請求項２に記載の導体接続端子。
【請求項４】
操作レバー（７）は、少なくとも開放位置において、接点部品（３）の支持部分（３．２）における、導体受入室（６０）とは反対側の第２側（３．２ｂ）に少なくとも部分的に支持されていることを特徴とする請求項２ないし３のいずれかに記載の導体接続端子。
【請求項５】
支持部分（３．２）は接点部品（３）の結合部分（３３）を介して締付部分（３．１）と結合されていることを特徴とする請求項２ないし４のいずれかに記載の導体接続端子。
【請求項６】
接点部品（３）の支持部分（３．２）が板として特に金属板として形成されていることを特徴とする請求項２ないし５のいずれかに記載の導体接続端子。
【請求項７】
少なくとも操作レバー（７）の開放位置において、締付ばね（５）の駆動要素（５１）から、駆動要素（５１）を付勢する操作レバー（７）の引上げアーム（７３）と、操作レバー（７）の外側輪郭（７２）と、支持部分（３．２）の第１側（３．２ａ）及び第２側（３．２ｂ）とを介して、締付ばね（５）の装着脚（５２）へ閉じた力伝達経路が形成されていることを特徴とする請求項２ないし６のいずれかに記載の導体接続端子。
【請求項８】
導体受入室（６０）は接点部品（３）の上部部分（３２）特に支持部分（３．２）により操作レバー（７）から分離されていることを特徴とする請求項１ないし７のいずれかに記載の導体接続端子。
【請求項９】
操作レバー（７）の引上げアーム（７３）は操作レバー（７）の外側輪郭（７２）と操作レバー（７）の掴み領域（７０）の間に配置されていることを特徴とする請求項１ないし８のいずれかに記載の導体接続端子。
【請求項１０】
導体接続端子（１）は、それを介して操作レバー（７）が開放位置に係止されている第１係止手段（３２、７５）を有することを特徴とする請求項１ないし９のいずれかに記載の導体接続端子。
【請求項１１】
第１係止手段（３２、７５）は、操作レバー（７）の部分である第１レバー係止手段（７５）および接点部品（３）の部分である第１接点部品係止手段（３２）を有し、これらは開放位置において操作レバー（７）を係止するために相互に作用することを特徴とする請求項１０に記載の導体接続端子。
【請求項１２】
操作レバー（７）は枢動運動回転軸に平行に突出する支持ピボット（７１）を有し、支持ピボットは操作レバー（７）が絶縁材ハウジング（２）から離れるのを防止するために操作レバー（７）を固定するように形成されていることを特徴とする請求項１ないし１１のいずれかに記載の導体接続端子。
【請求項１３】
絶縁材ハウジング（２）は操作レバー（７）を挿入するためのレバー挿入チャネル（２０）を有し、ここでレバー挿入チャネル（２０）は少なくとも操作レバー（７）を挿入する間に支持ピボット（７１）を案内するための案内輪郭（２４）を有することを特徴とする請求項１２に記載の導体接続端子。
【請求項１４】
少なくとも開放位置において操作レバー（７）がそれに支持されている接点部品（３）の部分が、開放時における操作レバー（７）の回転方向に下降する傾斜面として形成されていることを特徴とする請求項１ないし１３のいずれかに記載の導体接続端子。
【請求項１５】
以下に記載の順序で実行される、
ａ１）予め配置された接点インサート（３、５）をその中に備えた絶縁材ハウジング（２）を提供するステップと、
ａ２）少なくともその枢動支持領域を備えた操作レバー（７）を絶縁材ハウジング（２）のレバー挿入チャネル（２０）を介して絶縁材ハウジング（２）内に挿入するステップとを含む、請求項１ないし１４のいずれかに記載の導体接続端子（１）の組立方法。
【誤訳訂正２】
【訂正対象書類名】明細書
【訂正対象項目名】００４５
【訂正方法】変更
【訂正の内容】
【００４５】
さらに、操作レバー７は例えば凹部または溝の形に形成された第１レバー係止手段７５を有する。この第１レバー係止手段７５を介して、操作レバー７はその全開位置において固定され、かつ第１レバー係止手段７５の、対向支持部として働く、特に図４からわかるような接点部品３の一部との係止部により固定可能である。第１レバー係止手段７５は、この場合、端縁、例えば接点部品３の上部部分３２の前方端部における前方端縁３２ａないしは場合により丸みがつけられた正面端縁においてはめ合い係止する。これが図４において係止部Ｒ１として示されている。引上げアーム７３の下部領域と例えば絶縁材ハウジング２の内側ハウジング壁２２に配置された段部の間に追加係止部Ｒ２が形成されてもよい。
【手続補正書】
【提出日】平成30年6月11日(2018.6.11)
【手続補正１】
【補正対象書類名】明細書
【補正対象項目名】０１１９
【補正方法】変更
【補正の内容】
【０１１９】
第２のトルクの値が予め定められた値の範囲内にまで低下すると直ちに、少なくとも１つの付加肢１９が、係合手段１７の突起２１と堅固に当接した状態でそれぞれの自由端２０を引き戻して、少なくとも１つの弾性要素１６を回転させつつ引張ることにより、当該少なくとも１つの弾性要素１６を拘束している支持手段５を再び回転させる。
【手続補正２】
【補正対象書類名】明細書
【補正対象項目名】０１２０
【補正方法】変更
【補正の内容】
【０１２０】
また、本発明の目的は、流体（必要に応じて、液体または混合物）の送達ユニット２５である。送達ユニット２５は、上述のハンドル１の第１の接続手段３を介して当該ハンドル１に動作可能に接続された機械的駆動部材を含む。
【手続補正書】
【提出日】平成30年8月8日(2018.8.8)
【手続補正１】
【補正対象書類名】特許請求の範囲
【補正対象項目名】全文
【補正方法】変更
【補正の内容】
【特許請求の範囲】
【請求項１】
舌操作システム用の舌前進具アセンブリであって、前記舌前進具アセンブリは、
前記舌前進具アセンブリを接続ロッドの遠位端に結合する接続ロッドカップリングを含むコアマウントと、
舌に取り付けるための舌前進具と、
前記コアマウントと前記舌前進具とを結合する固定要素と
を含み、
前記コアマウントと前記舌前進具とは、材料が異なる、
舌前進具アセンブリ。
【請求項２】
前記固定要素はピンを含む、請求項１に記載の舌前進具アセンブリ。
【請求項３】
舌前進具テザーを更に含む、請求項２に記載の舌前進具アセンブリ。
【請求項４】
前記コアマウントは、前記舌前進具テザーと、当該舌前進具テザーを位置決めする前記ピンとがスリットを通して見られる当該スリットを含む、請求項３に記載の舌前進具アセンブリ。
【請求項５】
前記舌前進具テザーは、前記舌前進具テザーを前記舌前進具アセンブリに結合するために前記ピンの周りに巻く第１のループを含む、請求項３又は４に記載の舌前進具アセンブリ。
【請求項６】
前記ピンは、前記コアマウントに溶接され、前記舌前進具にフォームフィットする、請求項２乃至５の何れか一項に記載の舌前進具アセンブリ。
【請求項７】
前記ピンは、前記舌前進具に溶接され、前記コアマウントにフォームフィットする、請求項２乃至５の何れか一項に記載の舌前進具アセンブリ。
【請求項８】
前記コアマウントは、ステンレス鋼、チタン及び耐久性プラスチック材料の少なくとも１つから機械加工可能である、請求項１乃至７の何れか一項に記載の舌前進具アセンブリ。
【請求項９】
前記コアマウントのカップリングは、
接続ロッドねじ山によって前記舌前進具アセンブリを前記接続ロッドに結合するねじ山と、
接続ロッドクランプ要素によって前記舌前進具アセンブリを前記接続ロッドに結合する溝と、
接続ロッドクランプ要素によって前記舌前進具アセンブリを前記接続ロッドに結合するボール形状の近位端と、の内の少なくとも１つを含む、
請求項１乃至７の何れか一項に記載の舌前進具アセンブリ。
【請求項１０】
請求項１乃至９の何れか一項に記載の舌前進具アセンブリと、
接続ロッドと、を含み、前記接続ロッドは、
前記接続ロッドの遠位端を前記舌前進具アセンブリの前記コアマウントの前記接続ロッドカップリングに結合する第１のカップリング部分と、
前記接続ロッドの近位端をインプラントツール又は除去ツールに結合する第２のカップリング部分と、
を含み、
前記接続ロッドは、前記舌前進具アセンブリの前記舌前進具が、前記インプラントツール又は前記除去ツール内にそれぞれ引き込まれるように、当該インプラントツール又は当該除去ツールからの引張力又は張力を当該舌前進具アセンブリに伝える、
舌操作システム。
【請求項１１】
請求項１乃至９の何れか一項に記載の舌前進具アセンブリと、
骨アンカーと、
前記舌前進具を前記骨アンカーに固定するためのテザー線と、
を含む、舌操作システム。
【請求項１２】
舌操作システム用の舌前進具アセンブリを提供するための方法であって、
前記舌前進具アセンブリを接続ロッドの遠位端に結合する接続ロッドカップリングを含むコアマウントを提供するステップと、
舌に取り付けるための舌前進具を前記コアマウントに結合するステップと、
を含む、方法。
【請求項１３】
前記舌前進具を前記コアマウントに結合するステップは、前記コアマウントを前記舌前進具に固定するステップを含む、請求項１２に記載の方法。
【請求項１４】
前記コアマウントを前記舌前進具に固定するステップは、ピンによって前記コアマウントを前記舌前進具と固定するステップを含む、請求項１３に記載の方法。
【手続補正書】
【提出日】平成30年7月26日(2018.7.26)
【手続補正１】
【補正対象書類名】特許請求の範囲
【補正対象項目名】全文
【補正方法】変更
【補正の内容】
【特許請求の範囲】
【請求項１】
舌操作デバイスシステムのための接続ツールであって、当該接続ツールは、
舌前進具テザーに結合されるコネクタと、
前記コネクタに結合される張力計と、
前記張力計を介して前記コネクタに張力又は引張力を付与するテンショナと
を含み、
前記張力計は更に、前記舌前進具テザーが緊張した状態を保つように前記コネクタに所定の張力又は引張力が付与されたときを示し、また、付与された張力が前記舌前進具テザーに対して高すぎるか又は低すぎるときを示す、
接続ツール。
【請求項２】
前記コネクタは、
前記舌前進具テザーに結合されるテンションフックと、
前記舌前進具テザーに結合される把持要素と、
前記舌前進具テザーに結合される捕捉要素と
のうちの１つを含む、請求項１に記載の接続ツール。
【請求項３】
前記コネクタは、前記テンションフック、前記把持要素又は前記捕捉要素のうちの１つと前記張力計との間に結合されたテンションロッドを更に含む、請求項２に記載の接続ツール。
【請求項４】
前記コネクタは、前記テンションフック、前記把持要素又は前記捕捉要素のうちの１つと前記張力計との間に結合されたテンション線を更に含む、請求項２に記載の接続ツール。
【請求項５】
前記コネクタは、テンション線を含み、前記テンション線は前記舌前進具テザーと一緒に結ばれている、請求項１に記載の接続ツール。
【請求項６】
前記張力計は、
前記コネクタ又はテンショナの一方に結合された視覚窓と、
前記コネクタ又はテンショナの他方に結合されたインジケータと、
前記コネクタを前記テンショナに結合するばねと
を含み、前記付与された張力又は引張力の表示が視覚窓内の前記インジケータの位置によって生成される、
請求項１乃至５の何れか一項に記載の接続ツール。
【請求項７】
前記インジケータは、
前記張力が低すぎるときに表示される第１の領域と、
前記張力が所望のレベルであるときに表示される第２の領域と、
前記張力が高すぎるときに表示される第３の領域と
を含む、請求項６に記載の接続ツール。
【請求項８】
前記第１の領域は第１の色であり、前記第２の領域は前記第１の色とは異なる第２の色であり、前記第３の領域は前記第１の色及び第２の色とは異なる第３の色である、請求項７に記載の接続ツール。
【請求項９】
前記視覚窓は目盛を含み、前記インジケータは前記目盛上の位置を指す、請求項６に記載の接続ツール。
【請求項１０】
前記張力計は、
直線計、又は
回転計である、
請求項６乃至９の何れか一項に記載の接続ツール。
【請求項１１】
前記テンショナは、前記接続ツールの本体に対して操作されるハンドルを含み、前記張力計を介して前記コネクタに張力又は引張力を付与する、請求項１乃至１０の何れか一項に記載の接続ツール。
【請求項１２】
前記テンショナは、
外部リテーナ、
スプールばね、
線形ばね、
質量又は重量、
スライダ、及び
モータ
のうちの１つを含む、請求項１乃至１１の何れか一項に記載の接続ツール。
【請求項１３】
舌操作デバイスシステムのための接続ツールを提供する方法であって、当該方法は、
コネクタを舌前進具テザーに結合することと、
前記コネクタに張力計を結合することと、
テンショナを提供することであって、前記テンショナは前記張力計を介して前記コネクタに張力又は引張力を付与することと、
前記舌前進具テザーが緊張した状態を保つように前記コネクタに付与された張力又は引張力を前記張力計で示し、更に、付与された張力が前記舌前進具テザーに対して高すぎるか又は低すぎるときを示すことと
を含む、方法。
【請求項１４】
張力計を前記コネクタに結合することは、
前記コネクタ又はテンショナの一方に視覚窓を結合することと、
前記コネクタ又はテンショナの他方にインジケータを結合することと、
ばねを介して前記コネクタを前記テンショナに結合することと、
前記視覚窓内の前記インジケータの位置によって、前記付与された張力又は引張力の表示を生成することと
を含む、請求項１３に記載の方法。
【請求項１５】
前記視覚窓内の前記インジケータ位置によって、前記付与された張力又は引張力の表示を生成することは、
前記張力が低すぎるときに第１の領域を表示することと、
前記張力が所望のレベルであるときに第２の領域を表示することと、
前記張力が高すぎるときに第３の領域を表示することと
を含む、請求項１４に記載の方法。
【手続補正書】
【提出日】平成30年8月23日(2018.8.23)
【手続補正１】
【補正対象書類名】特許請求の範囲
【補正対象項目名】全文
【補正方法】変更
【補正の内容】
【特許請求の範囲】
【請求項１】
光形状検知ファイバを器具に固定する取り付け機構であって、前記光形状検知ファイバが前記器具に接続されると共に前記器具の位置及び向きを識別する、取り付け機構と、
前記光形状検知ファイバからフィードバックを受信し、動作環境に関連して前記器具の前記位置を位置合わせする光形状検知モジュールと、
前記器具の位置又は向きに基づいてオペレータにフィードバックを与えて、前記器具の使用をガイドする位置応答モジュールと、
を備える、光形状検知システム。
【請求項２】
前記取り付け機構が、前記器具の一部と接続する取り外し可能デバイスを含む、請求項１に記載のシステム。
【請求項３】
前記取り外し可能デバイスが、前記器具に接続する及び前記器具から分離するための嵌合可能部分を含む、請求項２に記載のシステム。
【請求項４】
前記取り外し可能デバイスが複数の器具に交換可能に搭載可能である、請求項３に記載のシステム。
【請求項５】
前記動作環境が医療処置のための手術室を含み、前記器具の位置が解剖学的マップに関連して追跡される、請求項１に記載のシステム。
【請求項６】
前記位置応答モジュールが、前記動作環境において識別されたゾーン又は位置に関連する前記器具の位置に基づいて器具機能を制御する、請求項１に記載のシステム。
【請求項７】
前記位置応答モジュールは、前記器具が特定の向きで位置決めされた場合にフィードバックをオペレータに与える、請求項１に記載のシステム。
【請求項８】
前記位置応答モジュールは、前記器具の位置が変化した場合に前記器具の使用を開始又は停止する、請求項１に記載のシステム。
【請求項９】
１つ以上の光形状検知ファイバからフィードバックを受信する光形状検知モジュールと、
少なくとも１つの光形状検知ファイバが接続された１つ以上の器具であって、前記光形状検知ファイバは動作環境において前記器具を位置的に追跡するために使用される、１つ以上の器具と、
前記器具の位置又は向きに基づいてオペレータにフィードバックを与えて、外科計画に基づいて前記器具の使用をガイドする位置応答モジュールと、
前記動作環境の領域に含まれる解剖学的マップであって、前記解剖学的マップに関連して前記１つ以上の器具の位置が追跡される、解剖学的マップと、
を備える、光形状検知システム。
【請求項１０】
前記少なくとも１つの光形状検知ファイバが、器具に接続する及び前記器具から分離するための嵌合可能部分を含む前記１つ以上の器具に取り外し可能に搭載されている、請求項９に記載のシステム。
【請求項１１】
前記嵌合可能部分が複数の器具に交換可能に搭載可能であることを含む、請求項１０に記載のシステム。
【請求項１２】
前記位置応答モジュールが、前記動作環境において識別されたゾーン又は位置に関連する前記器具の位置に基づいて器具機能を制御する、請求項９に記載のシステム。
【請求項１３】
前記位置応答モジュールは、前記器具が特定の向きで位置決めされた場合にフィードバックをオペレータに与える、請求項９に記載のシステム。
【請求項１４】
前記位置応答モジュールは、前記器具の位置が変化した場合に前記器具の使用を開始又は停止する、請求項９に記載のシステム。
【請求項１５】
光形状検知を用いて器具を追跡するための方法であって、前記方法は、
光形状検知ファイバを器具に固定するステップであって、前記光形状検知ファイバが前記器具に接続されると共に前記器具の位置を識別するステップと、
動作環境の記憶された画像に関連して前記器具の位置を位置合わせするステップと、
前記光形状検知ファイバからフィードバックを受信して現在の位置を決定するステップと、
前記器具の前記位置又は向きに基づいて前記器具の使用をガイドするステップと、
を備える、方法。
【手続補正書】
【提出日】平成30年9月14日(2018.9.14)
【手続補正１】
【補正対象書類名】特許請求の範囲
【補正対象項目名】全文
【補正方法】変更
【補正の内容】
【特許請求の範囲】
【請求項１】
ヘッドセットであって、
使用者の頭部を取り囲むのに十分に長い細長本体部材であって、前記細長本体部材は閉状態および休止状態を有する、細長本体部材と、
前記細長本体部材の端部と連結する閉鎖機構であって、前記閉鎖機構は開放状態および閉鎖状態を有し、前記細長本体部材は、前記閉鎖機構が前記開放状態にあるときに前記休止状態にあり、前記細長本体部材は、前記閉鎖機構が前記閉鎖状態にあるときに前記閉状態にあり、かつ外周ヘッドセットを形成する、閉鎖機構と、
前記外周ヘッドセットが前記使用者の頭部上に装着されるときに、前記使用者の頭部の皮膚に接して位置決めされるように構成され、かつ処理ユニットと電気的に連通する、前記細長本体部材上に設置される少なくとも１つの電極または少なくとも１つのセンサと、
を備える、ヘッドセット。
【請求項２】
前記閉状態において前記ヘッドセットは第１の長さを有し、前記休止状態において前記ヘッドセットは第２の長さを有し、前記第２の長さは前記第１の長さよりも短い、請求項１に記載のヘッドセット。
【請求項３】
前記細長本体部材は少なくとも１つの後方部材を備え、前記少なくとも１つの後方部材は、少なくとも半硬質であり、かつ、前記ヘッドセットが装着されるときに前記少なくとも１つの電極または前記少なくとも１つのセンサが前記使用者の頭皮と直接的な物理的接触および直接的な電気的接触のうちの少なくとも１つをするように、前記ヘッドセットの装着中に、前記使用者の頭皮に近づくために毛髪間をかき分けるように構成される、請求項１または２に記載のヘッドセット。
【請求項４】
前記少なくとも１つの電極のうちの少なくとも１つは、前記後方部材上に少なくとも部分的に設置される後方電極を備え、前記後方電極は、前記ヘッドセットが装着されるときに、前記使用者の少なくとも１つの後頭神経枝の上方に配置されるように構成される、請求項３に記載のヘッドセット。
【請求項５】
前記細長本体部材は、
少なくとも半硬質の前方部材と、
前記前方部材と前記少なくとも１つの後方部材との間に配置される中間部材と、
も備え、
少なくとも前記ヘッドセットの休止状態において、前記前方部材および前記少なくとも１つの後方部材はモノリシックユニットを形成し、前記ヘッドセットの閉状態において、前記前方部材および前記少なくとも１つの後方部材は互いに対して垂直に移動可能であり、
前記中間部材は半硬質部位および伸長可能部位を備え、前記休止状態において前記半硬質部位は、前記中間部材が前記モノリシックユニットに寄与するように前記中間部材の構造を画定し、前記細長本体部材の閉状態において前記伸長可能部位は、前記半硬質部位の長さを超えて延びるように伸長され、それにより、前記前方部材および前記少なくとも１つの後方部材が互いに対して垂直に移動可能である可撓性部位を画定する、請求項３乃至４のいずれか１項に記載のヘッドセット。
【請求項６】
前記少なくとも１つの電極のうちの少なくとも１つは、前記前方部材の内面上に設置される前方電極を備え、前記前方電極は、前記ヘッドセットが装着されるときに、前記使用者の滑車上神経および眼窩上神経のうちの少なくとも１つの上方に配置されるように構成される、請求項５に記載のヘッドセット。
【請求項７】
前記少なくとも１つの電極は、
前記使用者の頭部の皮膚表面に電気刺激を送達するように構成された刺激電極と、
前記使用者の身体部位の少なくとも１つの電気パラメータを感知するように構成された感知電極と、
のうちの少なくとも１つを備える、請求項１乃至６のいずれか１項に記載のヘッドセット。
【請求項８】
前記少なくとも１つの電極のうちの少なくとも１つは、前記細長本体部材の内面上に設置される側方電極を備え、前記側方電極は、前記ヘッドセットが装着されるときに、前記使用者の頬骨側頭神経および耳介側頭神経のうちの少なくとも１つの上方に、または、前記使用者のこめかみの上方にかつ前記使用者の耳の前方に配置されるように構成される、請求項１乃至７のいずれか１項に記載のヘッドセット。
【請求項９】
前記閉鎖機構は、前記細長本体部材の端部のそれぞれに磁石を備え、前記磁石の少なくとも一部は球面を画定し、前記磁石は磁石ハウジング内に配置され、前記磁石の球面は、単一の点で互いに係合し、それにより、前記ヘッドセットを閉じるように適合される、請求項１乃至８のいずれか１項に記載のヘッドセット。
【請求項１０】
ヘッドセットを使用者の頭部上に装着する方法であって、前記方法は、
請求項１乃至９のいずれか１項に記載のヘッドセットを提供することであって、前記ヘッドセットは前記休止状態にあることと、
前記細長本体部材が前記休止状態にある間に、前記ヘッドセットの少なくとも１つの部位が前記使用者の頭部の皮膚に接して位置決めされるように、前記ヘッドセットを前記使用者の頭部に隣接して位置決めすることと、
前記閉鎖機構を用いて、前記細長本体部材を前記閉状態に閉じ、それにより、前記使用者の頭部を包囲し、前記ヘッドセットを前記使用者の頭部上に固定することと、
を備える、方法。
【請求項１１】
前記細長本体部材を前記閉状態に閉じる前に、前記ヘッドセットを後方に押し、それにより、前記使用者の毛髪の間を通してかき分け、前記少なくとも１つの電極または前記少なくとも１つのセンサの前記使用者の頭皮との物理的接触のために、前記使用者の頭皮の領域をあらわにすることも備える、請求項１０に記載の方法。
【手続補正書】
【提出日】平成29年12月14日(2017.12.14)
【手続補正１】
【補正対象書類名】特許請求の範囲
【補正対象項目名】全文
【補正方法】変更
【補正の内容】
【特許請求の範囲】
【請求項１】
現在の近似フルエンス面値ｘｃｕｒｒのセットを定義するマルチリーフコリメータのためのリーフ位置の対応するセットを各コントロールポイントが有する、当該コントロールポイントの集まりを含む放射線供給計画を受け取るステップと、
対応する線量ボリュームを伴う予測フルエンス面値ｘ＊のセットを計算するステップと、
各潜在的なコントロールポイントについてのリーフ位置の階層グラフ構造における最小コスト経路又は最短経路を介して、前記予測フルエンス面値と前記現在の近似フルエンス面値との差ｘ＊−ｘｃｕｒｒの訂正マッピングによって、リーフ位置の対応するセットを有する付加的なコントロールポイントを決定し、リーフ位置の対応するセットを有する決定された前記コントロールポイントを、前記コントロールポイントの集まりに加えるステップと、
を含む、放射線供給計画の方法。
【請求項２】
反復の回数及び／又は現在の近似線量と予測線量との差における閾値変更などの所定の停止基準が満たされるまで、前記方法のステップを反復するステップ
をさらに含む、請求項１に記載の方法。
【請求項３】
前記予測フルエンス面値ｘ＊のセットが、
【数１９】
2017528250.tif 000001
を最小化することによって決定され、ここで、ｘはフルエンス面値であり、Ｏｊはｊ番目の線量オブジェクトであり、αはオブジェクトの重みである、請求項１又は２に記載の方法。
【請求項４】
前記予測フルエンス面値ｘ＊のセットが、非線形最適化アルゴリズムにより算出される、請求項３に記載の方法。
【請求項５】
前記非線形最適化アルゴリズムが、省メモリ版を含むブロイデン・フレッチャー・ゴールドファーブ・シャノン・アルゴリズムである、請求項１に記載の方法。
【請求項６】
前記最短経路が、
【数２０】
2017528250.tif 000002
によって定義される費用関数によって表され、ここで、γは未知の重みを表し、ｓはリーフ位置の未知のセットを表し、前記費用関数は、セグメント形状、セグメント開口、及びコントロールポイント間の重みにおける変化のような、他の選好を含むように拡張され得る、請求項１乃至５のいずれか一項に記載の方法。
【請求項７】
前記計算するステップが、近似フルエンス及び線量を計算する前に、前記集まりから前記コントロールポイントのうちの１つを除去するステップを含む、請求項１乃至６のいずれか一項に記載の方法。
【請求項８】
前記階層グラフ構造が、除去された前記コントロールポイントの近接範囲内のコントロールポイントを制御するように限定される、請求項７に記載の方法。
【請求項９】
前記訂正マッピングは、各々がコントロールポイントを生み出す複数の訂正マッピングを含み、
前記加えるステップが、所定の測定基準に従って、前記決定されたコントロールポイントのうちの１つの選択を含む、
請求項１乃至８のいずれか一項に記載の方法。
【請求項１０】
前記階層グラフ構造が、各潜在的なコントロールポイントについてのノードを有する層を含み、各ｉ番目の層は、マルチリーフコリメータ（ＭＬＣ）のｉ番目の行におけるリーフ対を表し、層内の前記ノードは、全ての実現可能なリーフ対位置を表し、各ノードは、各ビットが、１の値をコリメートされていない、０の値をコリメートされているとしたピクセル又は開口を表す２進数列を含むベクトルｂｒによって表され、隣接する層のノードは、第１の重みｅｒと正則化値とが割り当てられるグラフエッジによって接続される、請求項１乃至９のいずれか一項に記載の方法。
【請求項１１】
前記現在の近似フルエンス面値ｘｃｕｒｒが、
【数２１】
2017528250.tif 000003
によって定義され、ここで、ｗは重みであり、χは１を通過位置０を遮蔽位置とする特徴関数であり、各コントロールポイントｉについて加算される、請求項１乃至８のいずれか一項に記載の方法。
【請求項１２】
放射線供給デバイスと、
放射線供給計画に沿って放射線を供給するように前記放射線供給デバイスを制御するコントローラと、
請求項１から１１のいずれか一項に記載の方法のステップを実行することによって前記放射線供給計画を決定する１つ又は複数のプロセッサと、
を含む、放射線供給システム。
【請求項１３】
現在の近似線量ｄｃｕｒｒとコントロールポイントの集まりとを含む放射線供給計画を受け取るコントロールポイント管理ユニット又はコントロールポイント管理手段であって、各コントロールポイントは、現在の近似フルエンス面値ｘｃｕｒｒのセットを定義するマルチリーフコリメータのためのリーフ位置の対応するセットを有する、コントロールポイント管理ユニット又はコントロールポイント管理手段と、
線量行列ｄを用いてパラメータ空間にマッピングする予測フルエンス面値ｘ＊のセットを計算する予測ユニット又は予測手段と、
各潜在的なコントロールポイントについてのリーフ位置の階層グラフ構造における最小コスト経路又は最短経路を介して、前記予測フルエンス面値と前記現在の近似フルエンス面値との差ｘ＊−ｘｃｕｒｒの訂正マッピングによって、リーフ位置の対応するセットを有する付加的なコントロールポイントを決定する訂正ユニット又は訂正手段と、
を備え、
前記コントロールポイント管理ユニット又は前記コントロールポイント管理手段は、さらに、リーフ位置の対応するセットを有する決定された前記コントロールポイントを、前記コントロールポイントの集まりに加える、
放射線供給計画のためのシステム。
【請求項１４】
ソフトウェアを担持する非一時的なコンピュータ読取可能な記憶媒体であって、前記ソフトウェアは、１つ又は複数の電子データ処理デバイスを制御して、請求項１乃至１１のいずれか一項に記載の方法を実行させる、非一時的なコンピュータ読取可能な記憶媒体。
【手続補正書】
【提出日】平成30年7月20日(2018.7.20)
【手続補正１】
【補正対象書類名】特許請求の範囲
【補正対象項目名】全文
【補正方法】変更
【補正の内容】
【特許請求の範囲】
【請求項１】
検査領域の横軸に沿って配置されるスペクトル検出器のセット及び積分検出器のセットを有するハイブリッドデータ検出器アレイを含み、前記スペクトル検出器は、前記ハイブリッドデータ検出器アレイの中心領域に対して非対称に配置されている、イメージングシステムのハイブリッドデータ検出システムによって、放射線を受信するステップと、
前記スペクトル検出器の第１のセットを用いて、不完全なスペクトル投影のセットを発生させるステップと、
前記積分検出器のセットについて、前記スペクトル検出器のセットから補完的スペクトル投影のセットを決定するステップと、
前記補完的スペクトル投影のセットについて、実効第１エネルギービン吸収と、実効第２エネルギービン吸収とを決定するステップと、
前記補完的スペクトル投影のセットの前記実効第１エネルギービン吸収と、前記実効第２エネルギービン吸収とに基づいて、前記積分検出器のスペクトル投影のセットを推定し、推定された前記スペクトル投影のセットに前記積分検出器のセットの強度測定結果をマッチさせるように、スケール係数を推定するステップと、
前記不完全なスペクトル投影のセットと、前記推定されたスペクトル投影のセットとを組み合わせるステップと、
スペクトル投影の完全なセットを生成するように、前記組み合わせられたセットに基づいて、スペクトル投影のセットを推定するステップと、
ボリュメトリック画像データを発生させるように、前記スペクトル投影の完全なセットを処理するステップと、
を含む、スペクトル投影拡張のための方法。
【請求項２】
前記実効第１エネルギービン吸収は、実効光電子吸収であり、前記実効第２エネルギービン吸収は、実効コンプトン散乱吸収である、請求項１に記載の方法。
【請求項３】
強度測定結果をマッチさせるために、前記積分検出器のセットの前記強度測定結果に基づいて、前記補完的スペクトル投影のセットの前記実効第１エネルギービン吸収と、前記実効第２エネルギービン吸収とをスケーリングするステップと、
スケーリングされた前記実効第１エネルギービン吸収と、スケーリングされた前記実効第２エネルギービン吸収とに基づいて、前記積分検出器の前記スペクトル投影のセットを推定するステップと、
を更に含む、請求項１又は２に記載の方法。
【請求項４】
前記積分検出器のセットの前記実効第１エネルギービン吸収及び前記実効第２エネルギービン吸収を、それぞれ、スケーリングされた前記実効第１エネルギービン吸収及びスケーリングされた前記実効第２エネルギービン吸収として推定するステップを更に含む、請求項３に記載の方法。
【請求項５】
前記補完的スペクトル投影のセットの実効第１エネルギービン吸収の実効第２エネルギービン吸収に対する比率を決定するステップと、
前記比率に基づいて、前記積分検出器の前記スペクトル投影のセットを推定するステップと、
を更に含む、請求項１又は２に記載の方法。
【請求項６】
強度測定結果をマッチさせるために、前記積分検出器のセットの前記強度測定結果に基づいて、前記比率をスケーリングするステップと、
スケーリングされた前記比率に基づいて、前記積分検出器の前記スペクトル投影のセットを推定するステップと、
を更に含む、請求項５に記載の方法。
【請求項７】
エネルギー積分検出器のセットの吸収投影のセットを発生させるステップと、
前記スペクトル検出器のセットから補完的スペクトル投影のセットを発生させるステップと、
前記吸収投影のセットの前記補完的スペクトル投影のセットに対する比率に基づいて、前記積分検出器のスペクトル投影のセットを推定するステップと、
を更に含む、請求項１に記載の方法。
【請求項８】
前記吸収投影のセットの対数の前記補完的スペクトル投影のセットの対数に対する比率に基づいて、前記積分検出器の前記スペクトル投影のセットを推定するステップを更に含む、請求項７に記載の方法。
【請求項９】
前記補完的スペクトル投影のセットを決定するために、Ｃｈｏマッチングを使用するステップを更に含む、請求項１乃至８の何れか一項に記載の方法。
【請求項１０】
放射線を放出する放射線源と、
ハイブリッド検出器アレイの中心領域に対して非対称に配置され、不完全なスペクトル投影を発生させるスペクトル検出器と、積分検出器とを含む、放射線を受信する前記ハイブリッド検出器アレイと、
前記積分検出器について、前記スペクトル検出器から補完的スペクトル投影のセットを決定し、前記補完的スペクトル投影のセットについて、実効第１エネルギービン吸収と、実効第２エネルギービン吸収とを決定し、
前記補完的スペクトル投影のセットの前記実効第１エネルギービン吸収と、前記実効第２エネルギービン吸収とに基づいて、前記積分検出器のスペクトル投影のセットを推定し、推定された前記スペクトル投影のセットに前記積分検出器のセットの強度測定結果をマッチさせるように、スケール係数を推定し、
スペクトル投影の完全なセットを生成するように、前記不完全なスペクトル投影と前記推定されたスペクトル投影とを組み合わせ、
ボリュメトリック画像データを発生させるように、前記スペクトル投影の完全なセットを処理する再構成器と、
を含む、スペクトル投影拡張を有するイメージングシステム。
【請求項１１】
プロセッサは、前記スペクトル検出器から前記積分検出器の補完的スペクトル投影を発生させ、前記補完的スペクトル投影の実効第１エネルギービン吸収と実効第２エネルギービン吸収との比率を決定し、前記積分検出器の強度測定結果に基づいて、前記比率をスケーリングし、スケーリングされた前記比率に基づいて、前記積分検出器の前記スペクトル投影を推定する、請求項１０に記載のイメージングシステム。
【請求項１２】
前記実効第１エネルギービン吸収は、実効光電子吸収であり、前記実効第２エネルギービン吸収は、実効コンプトン散乱吸収である、請求項１１に記載のイメージングシステム。
【請求項１３】
プロセッサは、前記積分検出器のセットの吸収投影を発生させ、前記吸収投影の前記補完的スペクトル投影のセットに対する比率に基づくか、又は前記吸収投影の対数の前記補完的スペクトル投影の対数に対する比率に基づいて、前記積分検出器の前記スペクトル投影を推定する、請求項１０に記載のイメージングシステム。
【請求項１４】
命令を格納するメモリと、
前記命令を実行するプロセッサと、
を含み、
前記プロセッサは、前記命令の実行に反応して、請求項１に記載の方法を実施する、装置。
【手続補正書】
【提出日】平成30年9月10日(2018.9.10)
【手続補正１】
【補正対象書類名】特許請求の範囲
【補正対象項目名】全文
【補正方法】変更
【補正の内容】
【特許請求の範囲】
【請求項１】
磁気共鳴撮像（ＭＲＩ）システムにおけるシングルボクセル磁気共鳴分光法（ＭＲＳ）の実施のための方法であって、
関心のある領域を前記ＭＲＩシステムからの磁場に曝露するステップと、
前記磁場への曝露の結果として、前記関心のある領域から放出される信号から前記関心のある領域の解剖学的計画画像を作製するステップと、
前記関心のある領域にわたる均一度について前記磁場を分析するステップと、
前記磁場の前記分析に基づき、前記磁場の異なる均一度の、前記解剖学的計画画像の区域のマップを作製するステップと、
前記マップに基づき、前記ＭＲＳのプロセスで使用するための、磁場のユーザ指定のシム調整要件を得るために、分光シングルボクセルのサイズを算出するステップと、
前記マップに基づき、解剖学的な前記関心のある領域内に、算出されたサイズの前記分光シングルボクセルを配置するステップと、
を含む、方法。
【請求項２】
前記磁場は、前記ＭＲＩシステムのローカライザを用いて作り出される、請求項１に記載の方法。
【請求項３】
前記解剖学的計画画像及び磁気共鳴スペクトルが、逐次的に得られるか、又は前記解剖学的計画画像が、前記磁気共鳴スペクトルを作製するスキャンとは別個のスキャンで得られる、請求項１に記載の方法。
【請求項４】
前記分析するステップは、前記関心のある領域にわたって分光ボクセルをステッピングするステップと、前記分光ボクセルが前記ステッピングの結果として新たな位置に位置づけられるたびに前記分光ボクセルにおける前記磁場の特性を測定するステップと、前記分光ボクセルの各位置における前記磁場の特性において半値全幅（ＦＷＨＭ）を算出するステップとを含む、請求項１に記載の方法。
【請求項５】
前記マップを作製するステップは、前記磁場の均一度が互いに異なる前記解剖学的計画画像の少なくとも３つの区域に区分するステップを含む、請求項１に記載の方法。
【請求項６】
前記マップを作製するステップは、前記少なくとも３つの区域の輪郭を表示するステップ、又は前記少なくとも３つの区域を色分けするステップを含む、請求項５に記載の方法。
【請求項７】
前記分光シングルボクセルの前記サイズは、前記磁場の前記均一度が最も大きい前記マップの前記区域と前記解剖学的計画画像の区分けされた領域との間の重複領域のサイズに基づき算出される、請求項１に記載の方法。
【請求項８】
ある領域を磁場に曝露するように動作可能な磁石／コイルデバイスと、
前記磁石／コイルデバイスの動作を制御し、前記磁場への曝露の結果として前記領域から放出される信号を受信する制御ユニット、及び、分光シングルボクセルを作製するように動作可能なプロセッサを含む制御システムと
を含む、磁気共鳴撮像システムであって、
前記制御システムは、解剖学的計画画像を作製するために使用される磁場の異なる均一度の、前記解剖学的計画画像の区域を表すオーバーレイデータを含み、
前記プロセッサ及び前記制御ユニットは、前記磁気共鳴撮像システムが、前記分光シングルボクセルを前記オーバーレイデータに基づいて前記解剖学的計画画像の関心のある領域内に位置づけ可能である、シングルボクセル分光法モードで動作可能となるように、作動的に接続され、前記磁石／コイルデバイスは、前記分光シングルボクセルの範囲に限定された領域を前記磁場に曝露するように前記制御ユニットによって制御され、前記制御ユニットは、前記分光シングルボクセルの範囲に限定された領域から放出される磁気共鳴スペクトルを取得し、磁場の均一度に基づき、磁気共鳴分光法（ＭＲＳ）のプロセスで使用するための、磁場のユーザ指定のシム調整要件を得るために、前記分光シングルボクセルのサイズを算出し、解剖学的な前記関心のある領域内に、算出されたサイズの前記分光シングルボクセルを配置する、
磁気共鳴撮像システム。
【請求項９】
ディスプレイを含むコンソールをさらに含み、
前記制御システムは、前記磁場の異なる均一度の、前記解剖学的計画画像の前記区域のマップを生成するように動作可能であり、且つ前記シングルボクセル分光法モードの間前記ディスプレイ上に前記マップが表示されるように前記コンソールに作動的に接続される、
請求項８に記載の磁気共鳴撮像システム。
【請求項１０】
前記マップは、前記磁場の均一度が互いに異なる前記解剖学的計画画像の少なくとも３つの区域を含むか、又は前記マップは、前記少なくとも３つの区域のうちの隣接する区域の間の境界に輪郭線を有する、請求項９に記載の磁気共鳴撮像システム。
【請求項１１】
前記分光シングルボクセルの前記サイズは、前記磁場の前記均一度が最も大きい区域と前記解剖学的計画画像の区分された領域との間の重複領域のサイズに基づき算出される、請求項８に記載の磁気共鳴撮像システム。
【請求項１２】
前記制御システムは、前記解剖学的計画画像を処理し、それによって前記解剖学的計画画像における関心のある領域を区分し、前記分光シングルボクセルの前記サイズを算出し、前記オーバーレイデータに基づき前記関心のある領域内に分光シングルボクセルを位置づけることを、前記制御システムが前記シングルボクセル分光法モードにある間、全て自動的に行う、請求項１１に記載の磁気共鳴撮像システム。
【請求項１３】
前記ユーザ指定のシム調整要件は、半値全幅（ＦＷＨＭ）シム調整要件によって特定される、請求項１に記載の方法。
【請求項１４】
前記ユーザ指定のシム調整要件は、半値全幅（ＦＷＨＭ）シム調整要件によって特定される、請求項８に記載の磁気共鳴撮像システム。
【手続補正書】
【提出日】平成30年9月21日(2018.9.21)
【手続補正１】
【補正対象書類名】特許請求の範囲
【補正対象項目名】全文
【補正方法】変更
【補正の内容】
【特許請求の範囲】
【請求項１】
泡立てられたミルクの調製のための器具（１）であって、ミルクを受けるための容器（３）と、ミルクを送給するおよび／または泡立たせるための電気的に動作される駆動手段とを備え、飲料調製機（１０１）への接続のためのドッキング要素によって特徴付けられ、前記ドッキング要素は、
−前記飲料調製機によって送給される蒸気のための接続部と、
−前記飲料調製機によって供給され、前記駆動手段を動作させるための電流のためのインターフェイス（９８）と、
−泡立てられたミルクのためのミルク泡沫出口（２８）とを含む、泡立てられたミルクの調製のための器具（１）。
【請求項２】
一方で前記ミルク泡沫出口（２８）と他方で前記蒸気のための接続部および前記電気的インターフェイスを含む前記ドッキング要素の端面（２９）の面との間の距離が、最大２．５ｃｍである、請求項１に記載の器具。
【請求項３】
前記ドッキング要素は、ミルクおよび蒸気のための導管がその中を走る連続的な本体形成要素として設計される、請求項１または請求項２に記載の器具。
【請求項４】
前記ドッキング要素は、プラスチックの形状化された本体として設計され、ミルクのための少なくとも１つの導管を形成するドッキング要素本体（２５）を含む、請求項３に記載の器具。
【請求項５】
前記ドッキング要素は、複数個の流体チャネル（９２、９３、９５、９６、９９）を伴う主本体（２５）と、前記主本体から可逆的に取外し可能な補足部品（２７）とを含み、前記補足部品は、前記主本体に比較してより軟質の材料を含み、前記補足部品は、連続的であり、およびいくつかの要素（２８、８２〜８９）を含み、それらの要素を通して、ミルク、蒸気、水および／または空気が流れ得、それらの要素は前記流体チャネル内に係合する、請求項３または請求項４に記載の器具。
【請求項６】
入口側でミルク供給導管（３１）および空気供給路（２０、４３）に接続されるギヤポンプを有するミルク泡立ユニット（５）を備える、請求項１〜５のいずれか１つに記載の器具。
【請求項７】
混合ノズル（７９）を備え、そこで蒸気はミルクと共にされ得、 およびたとえば暖かい泡立てられたミルクの調製のために、さらに空気と共にされ得、前記混合ノズルは、前記ドッキング要素において配置され、たとえば前記ミルク泡沫出口の直接上に配置される、請求項１〜６のいずれか１つに記載の器具。
【請求項８】
前記混合ノズルは、蒸気の流れによって、吸引された空気および／または前記混合ノズルに流れ込むミルクに吸引効果を及ぼすよう設計される、請求項７に記載の器具。
【請求項９】
前記ドッキング要素は前記飲料調製機によって送給される清掃水および／または清掃蒸気のためのさらなる接続部を含み、その接続部から、清掃水導管および／または清掃蒸気導管（９６）が前記ドッキング要素を通って通過する、請求項１〜８のいずれか１つに記載の器具。
【請求項１０】
ホット飲料の調製のための、および請求項１〜９のいずれか１つに記載の器具の接続のための飲料調製機（１０１）であって、蒸気接続部上に結合するための、蒸気のための送給位置（１１１）と、前記器具のインターフェイス（９８）上に結合するための、前記飲料調製機側における電気的なインターフェイス（１１３）とを備え、前記送給位置（１１１）および前記飲料調製機側インターフェイス（１１３）は、それらが接続部つまり前記ドッキング要素のインターフェイス（９８）によって接触されることができるように、配置される、飲料調製機（１０１）。
【請求項１１】
ホット飲料のための飲料出口（１０５）が前記送給位置（１１１）のすぐ近くに配置される、請求項１０に記載の飲料調製機。
【請求項１２】
前部を含み、前記前部は、前記前部から突出し、飲料容器のためのものである配置プラットフォーム（１０３）、および前記前部から前記配置プラットフォームより上に突出する飲料出口フード（１０８）を伴い、前記送給位置（１１１）および前記飲料調製機側インターフェイス（１１３）を伴うドッキング位置が、前記飲料出口フード（１０８）上において側方に存在する、請求項１０または請求項１１に記載の飲料調製機。
【請求項１３】
請求項１〜請求項９のいずれか１つに記載の器具と、請求項１０〜請求項１２のいずれか１つに記載の飲料調製機とを備える、飲料調製システム。
【請求項１４】
前記飲料調製システムは、飲料容器のための配置プラットフォーム（１０３）を備え、前記器具のドッキングした状態で、前記ミルク泡沫出口（２８）および前記飲料調製機の飲料出口（１０５）が鉛直方向において前記配置プラットフォーム（１０３）より上に配置される、請求項１３に記載の飲料調製システム。
【請求項１５】
前記ミルク泡沫出口（２８）と前記飲料出口（１０５）との間の水平距離は、ドッキングした状態で、最大で５ｃｍである、請求項１４に記載の飲料調製システム。
【手続補正書】
【提出日】平成30年9月13日(2018.9.13)
【手続補正１】
【補正対象書類名】特許請求の範囲
【補正対象項目名】全文
【補正方法】変更
【補正の内容】
【特許請求の範囲】
【請求項１】
磁気共鳴撮像（ＭＲＩ）装置が、画像装置からの元の基準信号を受信するステップであって、前記ＭＲＩ装置は、ＭＲＩ画像を生成するために前記画像装置によって使用される画像データを得るために、デジタイザクロックに基づいて画像信号を伝搬する無線コイルを利用し、前記元の基準信号は、前記画像信号が伝搬されることが望まれるシステムクロックに基づいて生成される、ステップと、
前記ＭＲＩ装置が、前記元の基準信号を第１の基準信号及び第２の基準信号へと分割するステップと、
前記ＭＲＩ装置が、直交基準信号を生成するために前記第２の基準信号を移相するステップと、
前記ＭＲＩ装置が、前記第１の基準信号と前記直交基準信号との間の積を決定するステップと、
前記ＭＲＩ装置が、前記積に基づいて前記画像データの信頼性を示す指示を決定するステップと
を含む、方法。
【請求項２】
前記積がゼロであり、前記指示は、前記ＭＲＩ画像が前記画像データに基づいて正確に生成されることを示す第１の信頼度値に関するものである、請求項１に記載の方法。
【請求項３】
前記積がゼロを上回るが所定の閾値を下回り、前記指示が前記第１の信頼度値を下回る第２の信頼度値に関するものである、請求項２に記載の方法。
【請求項４】
前記積が前記所定の閾値を上回り、前記指示が前記第２の信頼度値を下回る第３の信頼度値に関するものである、請求項３に記載の方法。
【請求項５】
前記基準信号がチャネルを介して受信され、前記チャネル内では前記基準信号が前記画像装置から第１の形式で伝送され、且つ前記ＭＲＩ装置によって第２の形式で受信される、請求項１に記載の方法。
【請求項６】
前記チャネルの障害が前記ＭＲＩ装置のボア内の患者の運動に基づく、請求項５に記載の方法。
【請求項７】
前記チャネルの障害が前記チャネルの歪みに基づく、請求項５に記載の方法。
【請求項８】
前記分割するステップの前に、前記ＭＲＩ装置が、前記指示を決定するステップにおいて感度を高めるために前記基準信号の周波数を逓倍するステップを更に含む、請求項１に記載の方法。
【請求項９】
前記積を決定するステップの前に、前記ＭＲＩ装置が、前記基準信号を減衰させるために前記逓倍された周波数を低域フィルタにかけるステップを更に含む、請求項８に記載の方法。
【請求項１０】
デジタイザクロックと、
画像データを得るために前記デジタイザクロックに基づいて画像信号を伝搬する無線コイルと、
画像装置から元の基準信号を受信する受信機であって、前記元の基準信号は、前記画像信号が伝搬されることが望まれるシステムクロックに基づいて生成される、受信機と、
プロセッサであって、
前記元の基準信号を第１の基準信号及び第２の基準信号へと分割し、
直交基準信号を生成するために前記第２の基準信号を移相し、
前記第１の基準信号と前記直交基準信号との間の積を決定し、及び
前記積に基づいて前記画像データの信頼性を示す指示を決定する
プロセッサと
を含む、磁気共鳴撮像（ＭＲＩ）装置。
【請求項１１】
前記積は、
前記積がゼロであり、前記指示は、前記ＭＲＩ画像が前記画像データに基づいて正確に生成されることを示す第１の信頼度値に関するものであることと、
前記積がゼロを上回るが所定の閾値を下回り、前記指示が前記第１の信頼度値を下回る第２の信頼度値に関するものであることと、
前記積が前記所定の閾値を上回り、前記指示が前記第２の信頼度値を下回る第３の信頼度値に関するものであることとのグループから少なくとも１つ選択されるものである、請求項１０に記載のＭＲＩ装置。
【請求項１２】
前記基準信号がチャネルを介して受信され、前記チャネル内では前記基準信号が前記画像装置から第１の形式で伝送され、且つ前記ＭＲＩ装置によって第２の形式で受信される、請求項１１に記載のＭＲＩ装置。
【請求項１３】
前記チャネルの障害が、前記ＭＲＩ装置のボア内の患者の運動に基づくか、又は前記チャネルの歪みに基づく、請求項１２に記載のＭＲＩ装置。
【請求項１４】
前記分割の前に、前記プロセッサが、前記指示の決定において感度を高めるために前記基準信号の周波数を逓倍する、請求項１０に記載のＭＲＩ装置。
【請求項１５】
前記積の決定の前に、前記基準信号を減衰させるために前記逓倍された周波数を低域フィルタにかける、請求項１４に記載のＭＲＩ装置。